(57)【要約】【課題】複数枚の皿をコンパクトに安定して積み重ねることができる皿を提供する。【解決手段】  皿１は、食品が載置される中央部１３と、中央部１３の周囲に位置する周縁部１４とを有する皿状の本体部１１と、本体部１１の下面であって、中央部１３の外周に対応する位置に設けられる環状の高台部１２とを備えている。本体部１１は、高台部１２内に入り込む環状溝１５を備え、環状溝１５は、溝幅が溝底１６から溝開口１７に向けて広がる形状を呈し、溝開口１７の溝幅Ｌ１が前記高台部１２の下端部の幅Ｌ２より大きく設定されている。【選択図】図２
2019005329.tif 000002
【特許請求の範囲】
【請求項１】
食品が載置される中央部と、前記中央部の周囲に位置する周縁部とを有する皿状の本体部と、
前記本体部の下面であって、前記中央部の外周に対応する位置に設けられる環状の高台部とを備え、
前記本体部は、前記高台部内に入り込む環状溝を備え、前記環状溝は、溝幅が溝底から溝開口に向けて広がる形状を呈し、前記溝開口の溝幅が前記高台部の下端部の厚みより大きく設定されている皿。
【請求項２】
前記環状溝は、相対する内外の溝壁のうち、内側の溝壁の傾きが外側の溝壁の傾きより大きく設定されている請求項１に記載の皿。
【請求項３】
前記環状溝の外側の溝壁には、前記溝底と前記溝開口との間に段差が設けられている請求項２に記載の皿。
【請求項４】
前記本体部と前記高台部とは、一連一体に形成されている請求項１に記載の皿。
【請求項５】
前記中央部は、中心部が周辺部より低い湾曲面を有する請求項１に記載の皿。
【請求項６】
請求項１から５の何れかに記載の皿を搬送する皿搬送コンベアであって、
前記皿の搬送路に沿って連なる複数のプレートを備え、何れかのプレートの上面に前記皿の高台部と当接して前記皿をプレート上に定位させる滑り止めが設けられている皿搬送コンベア。
【請求項７】
前記滑り止めは、前記プレートの上面に突出し前記高台部の外形に沿う湾曲する突条により構成されている請求項６に記載の皿搬送コンベア。
【発明の詳細な説明】
【技術分野】
【０００１】
本発明は、皿及び皿搬送コンベア装置に関し、詳しくは、積み重ねたときに、倒れにくく嵩張らない皿及びその皿を搬送する皿搬送コンベアに関するものである。
【背景技術】
【０００２】
回転寿司店においては、厨房及び客席間を通過する循環型の皿搬送コンベアが設けられている。厨房では、調理人は調理した寿司を皿に載せ、その皿を皿搬送コンベアに載せる。客は、皿搬送コンベアにより運ばれてきた皿から好みの寿司が載っている皿を取り、皿に載っている寿司を食す。
【０００３】
厨房では、皿は調理人の周りに積み重ねられて保管され、調理人が上から一枚ずつ取り出して使用している。また、客席では、客は寿司を食べ終わった皿をテーブル上に積み重ねておき、食事の終了後に、店員が皿の枚数を数えたり、皿に取り付けられたＩＣチップ等を読み取り器で読み取ることで会計が行われる。
【０００４】
回転寿司店で使用されている皿として、例えば特許文献１に記載のものが提案されている。特許文献１に記載の皿は、皿状の本体部と、本体部の下面に設けられた高台部とを備えている。本体部と高台部はプラスチック材料により形成される。
【先行技術文献】
【特許文献】
【０００５】
【特許文献１】特開２０１４−１０４２７１号公報
【発明の概要】
【発明が解決しようとする課題】
【０００６】
しかし、特許文献１に記載の皿は、上側の皿の高台部が下側の皿の本体部の上面に載せられた状態で積み重ねられるため、上下方向に嵩張るという問題がある。１００席程度の客席を有する回転寿司店では、平均１２００枚の皿を必要とし、皿の保管に広いスペースが必要となる。また、客席においても、一回の食事で客一人が使用する皿の枚数は７枚程度であり、７枚の皿を積み重ねるとその高さは１４ｃｍ近くになり、テーブルの上で嵩張って邪魔になる。
【０００７】
さらに、皿の高台部及び本体部はプラスチック材料で作成されているので、上側の皿の高台部の下面と下側の皿の本体部の上面と間の摩擦力が小さく、滑りやすい。このため、店員が皿をテーブル上から片付ける際や、客がテーブル上の皿に接触した際に、積み重ねた皿が崩れやすいという問題がある。
【０００８】
本発明は、上記した課題に着目してなされたものであり、複数枚の皿を積み重ねたときに、嵩張らず、崩れにくい皿及びこの皿の搬送に適した皿搬送コンベアを提供することを目的とする。
【課題を解決するための手段】
【０００９】
この発明による皿は、食品が載置される中央部と、前記中央部の周囲に位置する周縁部とを有する皿状の本体部と、前記本体部の下面であって、前記中央部の外周に対応する位置に設けられる環状の高台部とを備えている。前記本体部は、前記高台部内に入り込む環状溝を備え、前記環状溝は、溝幅が溝底から溝開口に向けて広がる形状を呈し、溝開口の溝幅が前記高台部の下端部の厚みより大きく設定されている。
【００１０】
複数枚の皿を積み重ねる際に、上側の皿の高台部を下側の皿の環状溝に差し込むことで、嵩張らず、崩れにくくなり、複数枚の皿をコンパクトに安定して積み重ねることができる。
また、上側の皿の高台部が下側の皿の環状溝に差し込まれて、上側の皿の高台部の下端部が下側の皿の環状溝の溝壁に当接したとき、上側の皿の周縁部と下側の皿の周縁部との間に隙間が生じる。この隙間に指を入れて上側の皿の周縁部を摘むことで、上側の皿を容易に取り出すことができる。
さらに、皿の中央部上に載置した食品に醤油などの液体調味料をかけた際には、余分な液体調味料が環状溝に落ちるため、液体調味料が皿からこぼれるのを防ぐことができる。
【００１１】
この発明の好ましい実施態様においては、前記環状溝は、相対する内外の溝壁のうち、内側の溝壁の傾きが外側の溝壁の傾きより大きく設定されている。
【００１２】
上記の構成によれば、上側の皿の高台部の下端部を下側の皿の環状溝に差し込むと、上側の皿の高台部が外側の溝壁と当接し、上側の皿の周縁部と下側の皿の周縁部との間に隙間が生じる。外側の溝壁の傾きを調整することで、上側の皿の周縁部と下側の皿の周縁部との間の隙間の大きさを調整することができる。
【００１３】
好ましい実施態様においては、前記環状溝の外側の溝壁には、前記溝底と前記溝開口との間に段差が設けられる。
【００１４】
上側の皿の高台部の下端部を下側の皿の環状溝に差し込むと、上側の皿の高台部が、外側の溝壁と段差の部分に当接し、上側の皿の高台部と内側の溝壁との間には隙間が生じる。段差の上下方向の位置を調整することで、上側及び下側の皿の周縁部の間の隙間の大きさを調整することができる。
また、複数枚の皿が重ねられた状態において、最下段の皿の周縁部の下面を指先で支え、最上段の皿の周縁部の上面を指先で下方へ押すと、各皿の段差部分が支点となって各皿が傾き、指先で押された側の上下の皿の周縁部が近付き、皿の中心を挟んで反対側の上下の皿の周縁部が離れるので、皿の枚数を容易に数えることができる。
【００１５】
この発明の好ましい実施態様においては、前記本体部と前記高台部とは、一連一体に形成されている。
【００１６】
皿の本体部と前記高台部とを、例えば圧空成形又は真空成形により一連一体に成形することで、薄肉の皿を製造することができ、皿を積み重ねたときに嵩張らずコンパクトになる。また、製造も容易である。
さらに、上記の形成方法により、皿一枚当たりの製造コストを抑えることができるため、回転寿司店においては、皿を使い捨てにする、すなわち、皿を寿司の提供に使用した後に処分することが可能になる。従来の回転寿司店においては、皿は使用後に洗浄され、再度寿司の提供に使用されるため、多数の皿の洗浄に要する水道代や人件費などのコストがかさんでいたが、本発明の皿を使い捨てにすることで、水道代や人件費などのコストを削減することができる。
【００１７】
この発明の好ましい実施態様においては、前記中央部は、中心部が周辺部より低い湾曲面を有する。
【００１８】
湾曲面に食品、特に寿司を載置することで、寿司は安定して中央部に載置される。
また、湾曲面に醤油等の液体調味料を溜めることができるので、液体調味料用の皿として用いることができる。
【００１９】
上記の皿を搬送する本発明による皿搬送コンベアは、前記皿の搬送路に沿って連なる複数のプレートを備え、何れかのプレートの上面に前記皿の高台部と当接して前記皿をプレート上に定位させる滑り止めが設けられている。
【００２０】
上記の皿を薄肉かつ軽量に成形した場合、皿の搬送中に皿搬送コンベアの両側のガイド壁に皿の周縁部が当たると、プレート上で皿が滑り、連なって搬送された皿同士が重なったり、皿搬送コンベアのコーナー部分においては皿がガイド壁に乗り上げたりするなど、皿が良好に搬送されないことがある。
上記の構成によれば、プレートの上面に設けられた滑り止めにより、皿の滑りが規制されるため、皿はプレート上に定置され良好に搬送される。
【００２１】
前記滑り止めは、前記プレートの上面に突出し高台部の外形に沿う湾曲する突条により構成されていることが好ましい。
【００２２】
上記の構成によれば、プレートの突条が皿の高台部の外形に沿って当接するため、プレート上での皿の滑りが阻止され、皿を確実に搬送することが可能である。
【発明の効果】
【００２３】
本発明の皿によれば、複数枚の皿を積み重ねる際に、上側の皿の高台部を下側の皿の環状溝に差し込むことで、嵩張らず、崩れにくくなり、複数枚の皿をコンパクトに安定して積み重ねることができる。また本発明の皿搬送コンベアによれば、皿をプレート上に定置して良好に搬送することができる。
【図面の簡単な説明】
【００２４】
【図１】本発明の第１実施形態に係る皿の斜視図である。
【図２】皿搬送コンベア上に載せられた皿の縦断面図である。
【図３】高台部を拡大して示す断面図である。
【図４】複数枚積み重ねた状態の皿を示す断面図である。
【図５】２枚の皿を積み重ねた状態を示す高台部の拡大断面図である。
【図６】押圧により上の皿が傾いた状態を示す断面図である。
【図７】図６の高台部を拡大して示す断面図である。
【図８】高台部の他の例を示す断面図である。
【図９】高台部の他の例を示す断面図である。
【図１０】皿の他の例を示す斜視図である。
【図１１】皿及び皿搬送コンベアの斜視図である。
【図１２】図１１の底面図である。
【図１３】他の実施形態に係る皿搬送コンベアの斜視図である。
【図１４】図１３の底面図である。
【図１５】滑り止めの他の例を示す斜視図である。
【発明を実施するための形態】
【００２５】
本発明の実施形態を図面を参照して説明する。図１は本発明の第１実施形態に係る皿１の斜視図、図２は皿搬送コンベア２２上に載せられた皿１の断面図、図３は高台部１２の拡大断面図である。
【００２６】
皿１は、回転寿司店で客に寿司などの食品（飲料品を含む）を提供するために使用される。図１、図２に示すように、皿１は、皿状の本体部１１を備え、本体部１１は、食品が載置される円形状の中央部１３と、中央部１３の周囲に位置する周縁部１４とを有している。皿１は、本体部１１の下面であって、中央部１３の外周に対応する位置に環状の高台
部１２を備えている。本体部１１は、高台部１２内に入り込む環状溝１５を有している。この実施形態では、高台部１２は、本体部１１の中央部１３の周縁を全周に亘って下方に延出させ、かつ上方へ折り返すことにより略Ｕ字状に形成されている。高台部１２の上端縁は周縁部１４に連なっている。高台部１２の内側の空間は環状溝１５を構成している。
【００２７】
本実施形態においては、中央部１３、周縁部１４、高台部１２、環状溝１５の平面形状は円形であるが、四角形でもよく、多角形でもよい。また、各部において形状が異なっていてもよく、例えば、高台部１２と環状溝１５とが円形であり、中央部１３と周縁部１４とが多角形であってもよい。
【００２８】
皿１は、ポリスチレンなどのプラスチックを含む素材を用いて圧空成形又は真空成形により一連一体に形成されている。なお、皿１の素材及び成形方法は上記の例に限定されず、例えば、射出成形を用いてもよく、紙を含む素材であればプレス成形であってもよい。
【００２９】
環状溝１５は、溝幅が溝底１６から溝開口１７に向けて広がる形状を呈し、溝開口１７の溝幅Ｌ１が高台部１２の下端部の厚みＬ２より大きい値に設定されている。高台部１２の下端部の厚みＬ２は、図３において、溝底１６に対応する高台部１２の外形の幅を言う。
【００３０】
環状溝１５は、相対する内外の溝壁１８、１９のうち、内側の溝壁１８の鉛直方向に対する傾きα１が外側の溝壁１９の鉛直方向に対する傾きα２より大きく設定されている。ここで、内側の溝壁１８の鉛直方向に対する傾きα１とは、図３において、溝底１６の中心点Ｐ１と溝開口１７の内側の上端Ｐ２とを結ぶ直線の鉛直方向に対する傾きを意味する。外側の溝壁１９の鉛直方向に対する傾きα２とは、図３において、溝底１６の中心点Ｐ１と溝開口１７の外側の上端Ｐ３とを結ぶ直線の鉛直方向に対する傾きを意味する。
【００３１】
環状溝１５の外側の溝壁１９には、溝底１６と溝開口１７との間に段差１９ａ、１９ｂ（本実施形態では２箇所）が設けられている。また、環状溝１５の内側の溝壁１８には、溝底１６と溝開口１７との間に段差１８ａ（本実施形態では１箇所）が設けられている。
【００３２】
高台部１２の外形は、環状溝１５の形状と相似形状であり、高台部１２の外壁には、環状溝１５の外側の溝壁１９の段差１９ａ、１９ｂに対応する位置に段差１２ａ、１２ｂが存在し、環状溝１５の内側の溝壁１８の段差１８ａに対応する位置に段差１２ｃが存在する。
【００３３】
図２に示すように、本体部１１の中央部１３は、食品が載置可能な面積を有し、中心部が周辺部より低い湾曲面１３ａとなっている。周縁部１４は、中央部１３の高さに対して上方へ延出させたもので、上向きに凸となる湾曲状を呈する湾曲部１４ａと、湾曲部１４ａの先端縁を下方に向けて曲げて形成された端部１４ｂとを有している。端部１４ｂは、指で皿１を摘む際の引っ掛かりとなる。
【００３４】
図４は、上記の構成の皿１（１Ａ〜１Ｊ）を複数枚積み重ねた状態を示す断面図であり、図５は２枚の皿１を積み重ねた状態を示す高台部１２の拡大断面図である。図４、図５に示すように、上側の皿１Ａの高台部１２は下側の皿１Ｂの環状溝１５に差し込まれている。
【００３５】
詳細には、図５において、下側の皿１Ｂの環状溝１５の外側の溝壁１９の上側の段差１９ａに、上側の皿１Ａの高台部１２の下側の段差１２ｂが引っ掛かるように当接しており、上側の皿１Ａの高台部１２がさらに深く環状溝１５内に進入するのを防いでいる。また、下側の皿１Ｂの環状溝１５の内側の溝壁１８と、上側の皿１Ａの高台部１２の外壁との
間には隙間Ｓが形成されている。
【００３６】
図６は、複数枚の皿１（図示例では２枚の皿１）が積み重ねられた状態において、下側（上段）の皿１Ｂの周縁部１４の下面を指先で支持し、上側（上段）の皿１Ａの周縁部１４の上面を指先で下方へ押した状態を示しており、図７はその押圧側の高台部１２を拡大して示している。最上段（上側）の皿１Ａの周縁部１４の上面に図中矢印Ｇの向きに力が加わると、下側の皿１Ｂの環状溝１５の外側の溝壁１９の上側の段差１９ａと、上側の皿１Ａの高台部１２の下側の段差１２ｂとの当接点Ｐ４が支点となって上側の皿１Ａが傾き、指先で押された側の周縁部１４の上下の皿１Ａ、１Ｂの周縁部１４が近付き、皿１の中心を挟んで反対側の上下の皿１Ａ、１Ｂの周縁部１４が離れる。
【００３７】
このように、複数枚積み重ねられた皿１の周縁部１４を押すことにより、上側の皿１Ａを傾け、積み重ねた皿１Ａ、１Ｂの反対側の周縁部１４間を離すことができるので、皿１の枚数を容易に数えることができる。
【００３８】
図８、図９は高台部１２の形状の他の例を示す。図８、図９には２枚の皿１が積み重ねられた状態の高台部１２が拡大して示されている。外側の溝壁１９の段差１９ａ、１９ｂ、内側の溝壁１８の段差１８ａの上下方向の位置及び形状が図１〜図７の実施形態と異なっている。段差１９ａ、１９ｂの上下方向の位置を調整することで、上側の皿１Ａの高台部１２が下側の皿１Ｂの環状溝１５に差し込まれる深さを調整できる。
【００３９】
図１０は皿１の他の例を示し、皿１の中央部１３は図１の実施形態における湾曲面１３ａを有しておらず、上面が平坦面になっている。
【００４０】
上記実施形態の皿１によれば、複数枚の皿１を積み重ねる際に、上側の皿１Ａの高台部１２を下側の皿の環状溝１５に差し込むことで、嵩張らず、崩れにくくなり、複数枚の皿１をコンパクトに安定して積み重ねることができる。
また、上側の皿１Ａの高台部１２が下側の皿１Ｂの環状溝１５に差し込まれて、上側の皿１Ａの高台部１２が下側の皿１Ｂの環状溝１５の溝壁に当接したとき、上側の皿１Ａの周縁部１４と下側の皿１Ｂの周縁部１４との間に隙間が生じる。この隙間に指を入れて上側の皿１Ａの周縁部１４を摘むことで、上側の皿１Ａ（最上段の皿１）を容易に取り出すことができる。
【００４１】
さらに、皿１の中央部１３上に載置した食品に醤油などの液体調味料をかけた際には、余分な液体調味料が環状溝１５に落ちるため、液体調味料が皿１からこぼれるのを防ぐことができる。
【００４２】
図１１は、上記の実施形態の皿１を搬送する皿搬送コンベア２の斜視図であり、図１２は皿１及び皿搬送コンベア２の底面図である。皿搬送コンベア２は、回転寿司店の厨房及び客席間を通過する循環型のものであり、図２に示されるように、対向するガイド壁２１に挟まれるガイド溝２２内に配置されている。皿搬送コンベア２２は、多数のプレート２３を、皿１の搬送路に沿って設けられた無端状のチェーンに回動可能に軸支させて連ねたクレセントコンベア（クレセントチェーン）である。各プレート２３は、前端面２３ａが凸曲面、後端面２３ｂが凹曲面に形成されており、前後のプレート２３は、凹凸の曲面が嵌り合うように前後に連なっている。
【００４３】
何れかのプレート２３の上面には、皿１の高台部１２と当接して皿１をプレート２３上に定位させる滑り止め２４が設けられている。本実施形態においては、滑り止め２４は、プレート２３の上面に突出し皿１の高台部１２の外形に沿う湾曲する突条である。プレート２３は前端面２３ａが凸曲面であるのに対し、突条は後方に向けて凸となる湾曲形状で
ある。
【００４４】
なお、滑り止め２４は必ずしも全てのプレート２３に設けられる必要はない。本実施形態では、滑り止め２４を有するプレート２３と滑り止め２４を有しないプレート２３とが、皿１の搬送路に沿って交互に連ねられている。これにより、皿搬送コンベア２に並べられる全ての皿１は高台部１２の外周面が滑り止め２４に係止される。
【００４５】
皿搬送コンベア２のプレート２３上に皿１を載置すると、皿１の高台部１２とプレート２３の上面との間の摩擦力により、皿１はプレート２３上に載置された状態で搬送される。
皿１の搬送中に皿搬送コンベア２の両側に設けられるガイド壁２１に皿１の周縁部１４が当たり、プレート２３上で皿１が滑ると、プレート２３の上面に設けられた滑り止め２４に皿１の高台部１２が当接してそれ以上の滑りが規制されるため、皿１はプレート２３上に定置され良好に搬送される。
【００４６】
図１３は、他の実施形態に係る皿搬送コンベア２２の斜視図である。図１４は、図１３に示される皿１及び皿搬送コンベア２２の底面図（下側から見た図）である。
【００４７】
図１３、図１４において、図１１、図１２に示される各部に相当する部分には、それらの各部と同一の参照符号が付されている。また、以下では、その同一の参照符号が付された部分の説明を省略し、図１３、図１４に示される皿１および皿搬送コンベア２２の構成について、図１１、図１２に示される構成との相違点のみを説明する。
【００４８】
図示例の皿搬送コンベア２２では、１個おきのプレート２３の上面に、滑り止め３１が設けられている。滑り止め３１は、プレート２３の上面から突出し、皿１の搬送方向すなわちプレート２３が移動する方向と直交する方向である幅方向に延びる略直線状の突条である。突条は、プレート２３の後端面２３ｂ寄りに設けられている。
【００４９】
この皿搬送コンベア２２では、滑り止め３１が環状の高台部１２に囲まれる空間内に位置するように、皿１が載置される。皿１の搬送中にプレート２３上で皿１が滑ると、プレート２３の上面に設けられた滑り止め３１に皿１の高台部１２が当接してそれ以上の滑りが規制されるため、皿１はプレート２３上に定置され良好に搬送される。
【００５０】
滑り止め２４、３１は、上記の構成に限らず、例えば、図１５に示すように、プレート２３の上面に多数の突起４１（突起４１による凹凸）が形成された構成であってもよい。これにより、皿搬送コンベア２２のプレート２３の上面と皿１の高台部１２との摩擦抵抗を高められる。
【００５１】
なお、プレート２３の上面と高台部１２との摩擦抵抗を高めるための構成は、プレート２３の上面に突起４１が形成された構成に限らず、高台部１２および／またはプレート２３の材質により、プレート２３の上面と高台部１２との摩擦抵抗が高められてもよい。また、図１１、図１２に示される構成と図１５に示される構成との両方が採用されてもよいし、図１３、図１４に示される構成と図１５に示される構成との両方が採用されてもよい。
【００５２】
以上、本発明の一実施形態について説明したが、本発明は上記実施形態に限定されるものではなく、本発明の趣旨を逸脱しない限りにおいて種々の変更が可能である。
【符号の説明】
【００５３】
１  皿
２  皿搬送コンベア
１１  本体部
１２  高台部
１３  中央部
１３ａ  湾曲面
１４  周縁部
１５  環状溝
１６  溝底
１７  溝開口
１８  内側の溝壁
１８ａ  段差
１９  外側の溝壁
１９ａ、１９ｂ  段差
２３  プレート
２４、３１、４１  滑り止め
Ｌ１  溝開口の溝幅
Ｌ２  高台部の下端部の厚み
α１、α２  内外の溝壁の傾き
【図１】
2019005329.tif 000003
【図２】
2019005329.tif 000004
【図３】
2019005329.tif 000005
【図４】
2019005329.tif 000006
【図５】
2019005329.tif 000007
【図６】
2019005329.tif 000008
【図７】
2019005329.tif 000009
【図８】
2019005329.tif 000010
【図９】
2019005329.tif 000011
【図１０】
2019005329.tif 000012
【図１１】
2019005329.tif 000013
【図１２】
2019005329.tif 000014
【図１３】
2019005329.tif 000015
【図１４】
2019005329.tif 000016
【図１５】
2019005329.tif 000017
【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
食品が載置される中央部と、前記中央部の周囲に位置する周縁部とを有する皿状の本体部と、
前記本体部の下面であって、前記中央部の外周に対応する位置に設けられる環状の高台部とを備え、
前記本体部は、前記高台部内に入り込む環状溝を備え、
前記環状溝は、溝幅が溝底から溝開口に向けて広がる形状を呈し、前記溝開口の溝幅が前記高台部の下端部の厚みより大きく設定され、相対する内外の溝壁のうち、内側の溝壁の傾きが外側の溝壁の傾きより大きく設定されている皿。
【請求項２】
前記環状溝の外側の溝壁には、前記溝底と前記溝開口との間に段差が設けられている請求項１に記載の皿。
【請求項３】
前記本体部と前記高台部とは、一連一体に形成されている請求項１に記載の皿。
【請求項４】
前記中央部は、中心部が周辺部より低い湾曲面を有する請求項１に記載の皿。
【請求項５】
請求項１から４の何れかに記載の皿を搬送する皿搬送コンベアであって、
前記皿の搬送路に沿って連なる複数のプレートを備え、何れかのプレートの上面に前記皿の高台部と当接して前記皿をプレート上に定位させる滑り止めが設けられている皿搬送コンベア。
【請求項６】
前記滑り止めは、前記プレートの上面に突出し前記高台部の外形に沿う湾曲する突条により構成されている請求項５に記載の皿搬送コンベア。